(57)【要約】【課題】運転者によるディスプレイ装置の視認性を向上させ、且つデフロスタ用の吹出口からの風によるフロントウインドガラスの曇り除去性能が損なわれるのを防止する。【解決手段】デフロスタ用の吹出口（13）の車体後方側付近に、ディスプレイ装置（21）が上端部をフロントウインドガラス（2）に近接させた状態に立設され、デフロスタ用の吹出口（13）とディスプレイ装置（21）との間に、当該吹出口（13）から吹き出された風をディスプレイ装置（21）の上側に導くガイド面（27）を有する導風部（25）が設けられている。【選択図】図３
2015196457.tif 000002
【特許請求の範囲】
【請求項１】
車室前部に配設されて車体後方側に膨出した形状で車幅方向に延び、上面部のうち車体前方側で車幅方向における中央部分にデフロスタ用の吹出口（13）がフロントウインドガラス（101）に向けて形成されたインストルメントパネルであって、
前記デフロスタ用の吹出口（13）の車体後方側付近には、ディスプレイ装置（21）が上端部を前記フロントウインドガラス（101）に近接させた状態に立設され、
前記デフロスタ用の吹出口（13）と前記ディスプレイ装置（21）との間には、当該吹出口（13）から吹き出された風を当該ディスプレイ装置（21）の上側に導くガイド面（27）を有する導風部（25）が設けられている
ことを特徴とするインストルメントパネル。
【請求項２】
請求項１に記載されたインストルメントパネルにおいて、
前記デフロスタ用の吹出口（13）の内部には、当該吹出口（13）から吹き出される風を車幅方向における両側に拡散させるように整流する複数の整流板（19）が設けられ、
前記フロントウインドガラス（101）は、車幅方向において車体前方側に向けて凸状をなすように湾曲しており、
前記導風部（25）のガイド面（27）は、前記フロントウインドガラス（101）に沿って車幅方向に湾曲している
ことを特徴とするインストルメントパネル。
【請求項３】
請求項１又は２に記載されたインストルメントパネルにおいて、
前記導風部（25）のガイド面（27）には、前記デフロスタ用の吹出口（13）から吹き出された風を車幅方向における両側に拡散させる複数のガイドフィン（31）が設けられている
ことを特徴とするインストルメントパネル。
【発明の詳細な説明】
【技術分野】
【０００１】
本発明は、自動車等の車両に装備されるインストルメントパネルに関するものである。
【背景技術】
【０００２】
インストルメントパネルは、車体後方に膨出した形状を有し、車室前部に配設されてフロントウインドガラスの下方に位置している。このインストルメントパネルの上面部のうち前縁側部分には、フロントウインドガラスに向けて結露による曇りを除去するために温風を吹き出すデフロスタ用の吹出口がフロントウインドガラスに沿って形成されている。
【０００３】
また、インストルメントパネルには、ナビゲーション情報や車両情報などを表示するディスプレイ装置が取り付けられるものがある。近年、このディスプレイ装置の視認性を向上させるために、インストルメントパネルの上面部にディスプレイ装置を立設した構造（例えば、特許文献１参照）を採用する車両が多くなってきている。
【先行技術文献】
【特許文献】
【０００４】
【特許文献１】特開平１１−２９１８３４号公報
【発明の概要】
【発明が解決しようとする課題】
【０００５】
図７は、インストルメントパネル１０１におけるデフロスタ用の吹出口１０３及びその周辺構造を模式的に示す断面図である。なお、この図７中の矢印は、デフロスタ用の吹出口１０３から吹き出される風の流れを示す。デフロスタ用の吹出口１０３は、図７に示すように、インストルメントパネル１０１の内部に配設されたエアコンユニット（不図示）からデフノズル１０５を介して送られた防曇用の風を吹き出すようになっている。
【０００６】
ディスプレイ装置１０７は、運転者の車両走行中における視点移動の距離を極力少なくすべく、デフロスタ用の吹出口１０３の後方付近でフロントウインドガラス１０９寄りの位置に、インストルメントパネル１０１の上面部１０１ａの一般面から突出させて設置することが考えられる。
【０００７】
しかし、このような構成を採用する場合には、ディスプレイ装置１０７の上端部がフロントウインドガラス１０９に近接し、両者の間の隙間ｇが比較的狭くなるため、デフロスタ用の吹出口１０３から吹き出された風が、当該隙間ｇから上方に抜け難く、デフロスタ用の吹出口１０３とディスプレイ装置１０７との間の空間ｓに滞留し易い。そうなると、ディスプレイ装置１０７の上方では、デフロスタ用の吹出口１０３からフロントウインドガラス１０９伝いに流れる風量が低減する結果、フロントウインドガラス１０９の曇りを速やかに除去することができず、デフロスタ用の吹出口１０３から吹き出される風による同ガラス１０９の曇り除去性能が損なわれてしまう。
【０００８】
本発明は、斯かる点に鑑みてなされたものであり、その目的とするところは、運転者によるディスプレイ装置の視認性を向上させ、且つデフロスタ用の吹出口からの風によるフロントウインドガラスの曇り除去性能が損なわれるのを防止することにある。
【課題を解決するための手段】
【０００９】
上記の目的を達成するために、この発明では、ディスプレイ装置をフロントウインドガラスに寄せて設置し、且つデフロスタ用の吹出口から吹き出されてディスプレイ装置の上方でフロントウインドガラス伝いに流れる風量の低減を抑制可能なようにインストルメントパネルの構成を工夫した。
【００１０】
具体的には、第１の発明は、車室前部に配設されて車体後方側に膨出した形状で車幅方向に延び、上面部のうち車体前方側で車幅方向における中央部分にデフロスタ用の吹出口がフロントウインドガラスに向けて形成されたインストルメントパネルを対象とし、以下の解決手段を講じたものである。
【００１１】
すなわち、第１の発明は、デフロスタ用の吹出口の車体後方側に、ディスプレイ装置が上端部をフロントウインドガラスに近接させた状態に立設される構成を有する。ここでいう「ディスプレイ装置が上端部をフロントウインドガラスに近接させた状態に立設される」とは、ディスプレイ装置が、固定式で設置される場合や着脱可能に設置される場合は勿論、当該ディスプレイ装置の表示面を有するパネルを、当該パネルの下端部を中心として前方に回転させたり上下方向にスライドさせたりすることで、不使用時にインストルメントパネルに仕舞える可動式に設置される場合も含み、可動式に設置される場合には、ディスプレイ装置の使用状態で同装置の上端部がフロントウインドガラスに近接した状態になればよい。
【００１２】
そして、第１の発明は、デフロスタ用の吹出口とディスプレイ装置との間に、当該吹出口から吹き出された風を当該ディスプレイ装置の上側に導くガイド面を有する導風部が設けられていることを特徴とする。
【００１３】
第２の発明は、第１の発明のインストルメントパネルにおいて、デフロスタ用の吹出口の内部に、当該吹出口から吹き出される風を車幅方向における両側に拡散させるように整流する複数の整流板が設けられた構成を有する。また、フロントウインドガラスは、車幅方向において車体前方側に向けて凸状をなすように湾曲している。そして、第２の発明は、導風部のガイド面が、フロントウインドガラスに沿って車幅方向に湾曲していることを特徴とする。
【００１４】
第３の発明は、第１又は第２の発明のインストルメントパネルにおいて、導風部のガイド面に、デフロスタ用の吹出口から吹き出された風を車幅方向における両側に拡散させる複数のガイドフィンが設けられていることを特徴とする。
【発明の効果】
【００１５】
第１の発明によれば、ディスプレイ装置をその上端部がフロントウインドガラスに近接する位置にまで同ガラスに寄せて設置するようにしたので、ディスプレイ装置の視認性を向上させることができると共に、運転者の車両走行中における視点移動の距離を短くすることができる。これによって、運転者がディスプレイ装置の表示を確認しながら運転する際の疲労を軽減することができる。
【００１６】
さらに、第１の発明によれば、デフロスタ用の吹出口とディスプレイ装置との間に設けた導風部のガイド面でデフロスタ用の吹出口から吹き出された風をディスプレイ装置の上側に導くようにしたから、ディスプレイ装置の上端部とフロントウインドガラスとの間の隙間が比較的狭くても、デフロスタ用の吹出口から吹き出された風を、当該吹出口とディスプレイ装置との間で滞留させることなく、この隙間を通してフロントウインドガラス伝いにスムーズに流すことができる。これによって、ディスプレイ装置の上方でフロントウインドガラス伝いに流れる風量の低減を抑制することができ、デフロスタ用の吹出口からの風によるフロントウインドガラスの曇り除去性能が損なわれることを防止できる。
【００１７】
第２の発明によれば、デフロスタ用の吹出口から吹き出される風を当該吹出口の内部に設けた複数の整流板で車幅方向における両側に拡散させるようにしたから、デフロスタ用の吹出口からの風を、フロントウインドガラスに対して当該吹出口の上方に対応する範囲よりも広い範囲に亘って吹き付けることができ、その分だけ当該吹出口を車幅方向に短くすることができる。これによって、インストルメントパネルの内部において、デフロスタ用の吹出口に風を送るデフノズルの設置スペースを小さくすることができ、インストルメントパネル及び同パネルに組み込まれる周辺機器のレイアウト自由度を向上させることができる。
【００１８】
しかも、第２の発明によれば、導風部のガイド面を、車幅方向において車体前方側に向けて凸状に湾曲したフロントウインドガラスに沿う湾曲形状としたので、ディスプレイ装置の背面側でデフロスタ用の吹出口から吹き出された風を、フロントウインドガラスと導風部との間の空間を通して車幅方向における両側にスムーズに流すことができ、当該吹出口からの風の車幅方向への拡散を妨げることがない。
【００１９】
第３の発明によれば、デフロスタ用の吹出口から吹き出された風を導風部のガイド面に設けた複数のガイドフィンで車幅方向における両側に拡散させるようにしたから、上記第２の発明と同様な作用が奏されて、デフロスタ用の吹出口を車幅方向に短くすることができ、インストルメントパネル及び同パネルに組み込まれる周辺機器のレイアウト自由度を向上させることができる。
【図面の簡単な説明】
【００２０】
【図１】図１は、本発明の実施形態１に係るインストルメントパネルの正面図である。
【図２】図２は、本発明の実施形態１に係るインストルメントパネルの平面図である。
【図３】図３は、図２のIII−III線における構造を模式的に示す断面図である。
【図４】図４は、図３のIV−IV線における構造を模式的に示す断面図である。
【図５】図５は、本発明の実施形態１に係るインストルメントパネルの要部を示す斜視図である。
【図６】図６は、本発明の実施形態２に係るインストルメントパネルの要部を示す斜視図である。
【図７】図７は、参考例のインストルメントパネルにおけるデフロスタ用の吹出口及びその周辺構造を模式的に示す断面図である。
【発明を実施するための形態】
【００２１】
以下、本発明に係る実施形態を図面に基づいて詳細に説明する。なお、以下の実施形態は、本質的に好ましい例示であって、本発明、その適用物、或いはその用途の範囲を制限することを意図するものではない。なお、以下の各実施形態では、説明の便宜上、車両前後方向における前側を「前」、後側を「後」と称し、車両前方を向いて車幅方向における左側を「左」、右側を「右」と称し、車高方向における上側を「上」、下側を「下」と称する。
【００２２】
《発明の実施形態１》
図１は、この実施形態１に係るインストルメントパネル１の正面図である。図２は、このインストルメントパネル１の平面図である。図３は、図２のIII−III線における構造を模式的に示す断面図である。図４は、図３のIV−IV線における構造を模式的に示す断面図である。なお、図３中の矢印は、デフロスタ用の吹出口１０３から吹き出される風の流れを示す。本実施形態で例示するインストルメントパネル１は、運転席が車体左側に位置する左ハンドル仕様車用のパネルである。
【００２３】
図１及び図２に示すインストルメントパネル１は、速度計やエンジン回転計などの各種計器類を搭載する樹脂製の計器板であって、車室前部に配設されている。具体的には、インストルメントパネル１は、車幅方向に延びるインパネレインフォースメント（不図示）に支持されて車体に取り付けられることで、エンジンルームと車室とを区画するダッシュパネルの後方側（車室側）に装備されている。
【００２４】
インストルメントパネル１の上方には、図３に示すように、フロントウインドガラス２が車両後方に向かって上側に傾斜した姿勢で設けられている。このフロントウインドガラス２は、図４に示すように、車幅方向において車体前方に向けて凸状をなすように緩やかに湾曲しており、図示しないが、周辺部分を車体のルーフ前縁部やフロントピラーなどのフロントウインドガラス用開口の周縁部に接着することで、車体に固定されている。
【００２５】
インストルメントパネル１は、図１〜図３に示すように、車体後方に膨出した形状で車幅方向に延びていて、フロントウインドガラス２の下端部近傍から車室内方（後方）へ延びる上面部１ａと、この上面部１ａの後端縁から湾曲しつつ下方へ延びる後面部１ｂとを有する。このインストルメントパネル１は、金型を用いた樹脂材料の射出成形により製造される。
【００２６】
インストルメントパネル１のうち運転席に対応する左側部分には、ステアリングホイールと共に運転者の前方に位置する計器類が装着されるメーターフード３が設けられている。このメーターフード３には、走行速度などを表示するヘッドアップディスプレイ（ＨＵＤ：Head Up Display）装置５が設けられている。また、インストルメントパネル１のうち助手席側に対応する右側部分には、エアバック装置（不図示）が収容されている。
【００２７】
また、インストルメントパネル１の後面部１ｂのうち車幅方向における中央部分には、同パネル１内に設置されるエアコンユニット（不図示）の操作スイッチやオーディオ機器などの車載機器が取り付けられるセンターパネル部７が設けられている。このセンターパネル部７には、エアコンユニットからの温風や冷風などの空調風を車室内に吹き出すセンターエア吹出口９が左右一対に並べて形成されている。
【００２８】
また、インストルメントパネル１のうち車幅方向における左右両端側の部分には、センターエア吹出口９に対応する高さ位置に、空調風を車室内に吹き出すサイドエア吹出口１１がそれぞれ形成されている。これらセンターエア吹出口９及びサイドエア吹出口１１は、車室内の空気温度を調節するための車室内空調用の吹出口である。
【００２９】
インストルメントパネル１には、これら車室内空調用の吹出口９，１１に加え、ウインドガラスの結露による曇りを除去するための温風を吹き出すデフロスタ用の吹出口１３，１５が形成されている。このデフロスタ用の吹出口１３，１５は、フロントウインドガラス２越しの車両前方の視認性を確保するためのフロントウインドガラス防曇用の吹出口（以下、フロントデフ吹出口と称する）１３と、図示しないフロントサイドウインドガラス越しのサイドミラー等の車両側方の視認性を確保するためのフロントサイドウインドガラス防曇用の一対の吹出口（以下、サイドデフ吹出口と称する）１５とである。
【００３０】
各サイドデフ吹出口１５は、車室内空調用のサイドエア吹出口１１の前方上側に設けられている。他方、フロントデフ吹出口１３は、インストルメントパネル１の上面部１ａの前縁側部分のうち中央部分にフロントウインドガラス２に向けて１つだけ形成され、同ガラス２に沿って車幅方向に延びている。このフロントデフ吹出口１３には、図３に示すように、エアコンユニットから空調風を送るデフノズル１７が接続されており、このデフノズル１７から送られた空調風をフロントウインドガラス２に向けて吹き出すようになっている。
【００３１】
図５は、インストルメントパネル１の要部、つまりフロントデフ吹出口１３とディスプレイ装置２１と後述する導風部材２５とを車体前側から示す斜視図である。フロントデフ吹出口１３の内部には、図５に示すように、当該吹出口１３から吹き出される風を車幅方向における両側に拡散させるように整流する複数の整流板１９が設けられている。これら複数の整流板１９は、各々前後方向に延びる小片板状に形成され、車幅方向において互いに所定の間隔をあけて配置されている。
【００３２】
これら複数の整流板１９の姿勢は、車幅方向における中央部に配置されているものほど垂直に近く、車幅方向における両端側に配置されているものほど車幅方向外側に向けて寝かせられている。そのことで、複数の整流板１９は、フロントデフ吹出口１３から吹き出される風を上方に向けて放射状に拡散させるようになっている。これら複数の整流板１３は、インストルメントパネル１の本体と一体に形成されていてもよいし、インストルメントパネル１の本体とは別部材の吹出グリルとして設けられて同パネル１に取り付けられていてもよい。
【００３３】
さらに、インストルメントパネル１の上面部１ａのうちセンターコンソール部７の上部前方に位置する部分には、図１〜図３に示すように、ナビゲーション情報や車両情報、テレビビジョン放送などを表示するディスプレイ装置２１が収容される収容凹部２３が設けられている。収容凹部２３は、車両前後方向においてフロントデフ吹出口１３の後方側付近にまで延びていて、車両前方に向かうに連れて深さが深くなるように形成されている。
【００３４】
ディスプレイ装置２１は、この収容凹部２３の前端部に、上側部分が下側部分よりも前方に位置するように傾倒させてその表示面２１ａを後側斜め上方に向けた姿勢で設置され、上端部をインストルメントパネル１の上面部１ａの一般面から突出させてフロントウインドガラス２に近接させた状態になっている。ディスプレイ装置２１の上端部とフロントウインドガラス２との間の隙間ｇは、例えば１．５ｃｍ〜３．０ｃｍ程度である。
【００３５】
このように、ディスプレイ装置２１は、フロントデフ吹出口１３の車体後方側付近でフロントウインドガラス２に寄った位置に立設される。これによって、ディスプレイ装置２１の視認性を向上させることができると共に、運転者の車両走行中における視点移動の距離を短くすることができる。
【００３６】
そして、このディスプレイ装置２１とフロントデフ吹出口１３との間には、樹脂製の導風部材２５が導風部として設けられている。この導風部材２５は、インストルメントパネル１の上面部１ａに取り付けられてディスプレイ装置２１の背面を覆っており、フロントデフ吹出口１３から吹き出された風をディスプレイ装置２１の上側に導くガイド面２７を有している。これによって、フロントデフ吹出口１３からの風によるフロントウインドガラス２の曇り除去性能が損なわれることを防止できる。
【００３７】
つまり、フロントデフ吹出口１３から吹き出された防曇用の風は、導風部材２５のガイド面２７によってディスプレイ装置２１の上側にまで案内されるので、ディスプレイ装置２１の上端部とフロントウインドガラス２との間の隙間ｇが比較的狭くても、フロントデフ吹出口１３とディスプレイ装置２１との間で滞留することがなく、この隙間ｇを通ってフロントウインドガラス２伝いにスムーズに流れることとなる。したがって、ディスプレイ装置２１の上方でフロントウインドガラス２伝いに流れる風量の低減を抑制することができ、その結果として上記の効果を得ることができる。
【００３８】
この導風部材２５のガイド面２７は、フロントデフ吹出口１３の後縁部分からディスプレイ装置２１の上端に対応する位置にまで延びている。そして、ガイド面２７は、図４に示すように、フロントウインドガラス２に沿って車幅方向になだらかに湾曲していて、車幅方向における中央部と両端部とでフロントウインドガラス２との距離ａ，ｂが同程度になっている。これによって、フロントデフ吹出口１３からの風の車幅方向への拡散を妨げないようになっている。
【００３９】
仮に、導風部材２５のガイド面が真っ直ぐな平面である場合には、当該ガイド面の両端部とフロントウインドガラス２との距離が当該ガイド面の中央部と同ガラス２との距離よりも短くなるため、フロントデフ吹出口１３から吹き出された風が車幅方向における両側に抜け難く、フロントデフ吹出口１３からの風の車幅方向への拡散が妨げられるおそれがある。
【００４０】
これに対し、上記の如くフロントウインドガラス２と導風部材２５のガイド面２７とが車幅方向に互いに平行に延びるように湾曲していると、ディスプレイ装置２１の背面側でフロントデフ吹出口１３から吹き出された風は、フロントウインドガラス２と導風部材２５との間の空間を通って車幅方向における両側にスムーズに流れるので、フロントデフ吹出口１３からの風の車幅方向への拡散を妨げることがない。
【００４１】
−実施形態１の効果−  
この実施形態１によると、ディスプレイ装置２１をその上端部がフロントウインドガラス２に近接する位置にまで同ガラス２に寄せて設置するようにしたので、運転者によるディスプレイ装置２１の視認性向上と視点移動の短距離化を実現でき、運転者がディスプレイ装置２１の表示を確認しながら運転する際の疲労を軽減することができる。
【００４２】
さらに、ディスプレイ装置２１とフロントデフ吹出口１３との間に設けた導風部材２５のガイド面２７でフロントデフ吹出口１３から吹き出された風をディスプレイ装置２１の上側に導くようにしたから、フロントデフ吹出口１３からの風によるフロントウインドガラス２の曇り除去性能が損なわれるのを防止することができる。
【００４３】
また、この実施形態１によると、フロントデフ吹出口１３から吹き出される風を複数の整流板１９で車幅方向における両側に拡散させるようにしたので、フロントウインドガラス２に対して当該吹出口１３の上方に対応する範囲よりも広い範囲に亘って吹き付けることができ、その分だけ当該吹出口１３を車幅方向に短くすることができる。これによって、インストルメントパネル１の内部において、フロントデフ吹出口１３に防曇用の風を送るデフノズル１７の設置スペースを小さくすることができる。その結果、インストルメントパネル１及び同パネル１に組み込まれるＨＵＤ装置５などの周辺機器のレイアウト自由度を向上させることができる。
【００４４】
《発明の実施形態２》
この実施形態２に係るインストルメントパネル１は、導風部材２５の構成が上記実施形態１と異なる。なお、この実施形態２では、導風部材２５の構成が上記実施形態１と異なる他はインストルメントパネル１について上記実施形態１と同様に構成されているので、構成の異なる導風部材２５についてのみ説明し、同一の構成箇所は図１〜図５に基づく上記実施形態１の説明に譲ることにして、その詳細な説明を省略する。
【００４５】
図６は、この実施形態２に係るインストルメントパネル１の要部、具体的にはフロントデフ吹出口１３、ディスプレイ装置２１及び導風部材２５を車体前側から示す斜視図である。本実施形態の導風部材２５のガイド面２７には、図６に示すように、フロントデフ吹出口１３から吹き出された風を車幅方向における両側に拡散させる複数のガイドフィン３１が設けられている。複数のガイドフィン３１は、フロントデフ吹出口１３の後縁部分から上方に延びており、フロントデフ吹出口１３内の整流板１９の後方に対応する位置に当該整流板１９と連続するように形成されている。
【００４６】
これら複数のガイドフィン３１のうちガイド面２７の左側半分に設けられたガイドフィン３１は、下端から上端に向かうに連れて車幅方向における外側、つまり左側に湾曲している。他方、複数のガイドフィン３１のうちガイド面２７の右側半分に設けられたガイドフィン３１は、下端から上端に向かうに連れて車幅方向における外側、つまり右側に湾曲している。このように、導風部材２５は、フロントデフ吹出口１３から吹き出された風を積極的に車幅方向における両側に拡散させるようになっている。
【００４７】
−実施形態２の効果−  
この実施形態２によると、フロントデフ吹出口１３から吹き出された風をよりいっそう確実に車幅方向における両側に拡散させることができ、フロントデフ吹出口１３を車幅方向に短くしてもフロントウインドガラス２の曇り除去性能が損なわれるのを防止することができる。
【００４８】
なお、上記実施形態１及び２では、導風部材２５がインストルメントパネル１の本体と別部材で設けられる形態を例に挙げて説明したが、これに限らず、ガイド面２７を有する導風部がインストルメントパネル１の本体と一体に設けられていても構わない。
【００４９】
また、上記実施形態１及び２では、導風部材２５のガイド面２７が、ディスプレイ装置２１の上端に対応する位置にまで延びている形態を例に挙げて説明したが、これに限らず、ガイド面２７は、ディスプレイ装置２１の上端から若干下方に離れた位置までしか延びていなくてもよく、ディスプレイ装置２１の上端部の背面が部分的に前方に露出していても構わない。
【産業上の利用可能性】
【００５０】
以上説明したように、本発明は、車両用のインストルメントパネルについて有用であり、特に、運転者によるディスプレイ装置の視認性を向上させ、且つデフロスタ用の吹出口からの風によるフロントウインドガラスの曇り除去性能が損なわれるのを防止することが要望される車両用のインストルメントパネルに適している。
【符号の説明】
【００５１】
１      インストルメントパネル
２      フロントウインドガラス
１３    フロントデフ吹出口（デフロスタ用の吹出口）
１９    整流板
２１    ディスプレイ装置
２５    導風部材（導風部）
２７    ガイド面
３１    ガイドフィン
【図１】
2015196457.tif 000003
【図２】
2015196457.tif 000004
【図３】
2015196457.tif 000005
【図４】
2015196457.tif 000006
【図５】
2015196457.tif 000007
【図６】
2015196457.tif 000008
【図７】
2015196457.tif 000009